(57)【要約】【課題】  複数のロッドの押し当てにより人体の外形状を測定する体型測定装置を低コストで提供する。【解決手段】  基台部１上の支持フレーム４に対して前後方向に移動可能となるように支持される可動フレーム５と、前後方向を向く軸方向に沿ってスライド自在となるように可動フレーム５に複数保持されるロッド６と、支持フレーム４に対する可動フレーム５の前後位置又は移動量を検出する可動フレーム位置検出部２０と、各ロッド６が可動フレーム５に対して後方にスライドを開始したことを検出するロッド後退検出部２７とを具備し、可動フレーム位置検出部２０とロッド後退検出部２７の検出結果を基に各ロッド６が後退を開始した時点での可動フレーム５の前後位置又は移動量を得て人体の外形状を測定する体型測定装置とする。【選択図】        図１
2005278702.tif 000002
【特許請求の範囲】
【請求項１】
装置全体を支持する基台部と、基台部に立設される支持フレームと、支持フレームに対して前後方向に移動可能となるように支持フレームに支持される可動フレームと、前後方向を向く軸方向に沿ってスライド自在となるように可動フレームに複数保持されるロッドと、支持フレームに対する可動フレームの前後位置又は移動量を検出する可動フレーム位置検出部と、各ロッドが可動フレームに対して後方にスライドを開始したこと又は後方に所定量だけスライドしたことを検出するロッド後退検出部と、可動フレーム位置検出部とロッド後退検出部の検出結果を基に各ロッドが後退を開始した時点又は後方に所定量だけスライドした時点での可動フレームの前後位置又は移動量を得ることにより人体の外形状を測定する演算部とを備えていることを特徴とする体型測定装置。
【請求項２】
上記ロッド後退検出部として、ロッド側に固定される被検出ブロックと、ロッドが後退を開始した時点又は後方に所定量だけスライドした時点で被検出ブロックを検出するように可動フレーム側に固定される検出ブロックとを備えていることを特徴とする請求項１に記載の体型測定装置。
【請求項３】
上記被検出ブロックとして遮光体を備え、上記検出ブロックとしてフォトセンサを備えていることを特徴とする請求項２に記載の体型測定装置。
【請求項４】
上記ロッドの人体当接側の先端に、屈曲可能な弾性体を備えていることを特徴とする請求項１〜３のいずれか一項に記載の体型測定装置。
【請求項５】
各ロッドの後退に抗する抵抗力をロッドの後退量が大きくなる程に小さくなるように付与するスライド抵抗部を備えていることを特徴とする請求項１〜４のいずれか一項に記載の体型測定装置。
【発明の詳細な説明】
【技術分野】
【０００１】
本発明は、人体の外形状を測定する体型測定装置に関するものである。
【背景技術】
【０００２】
従来から、人体の外形状を測定する装置として、例えば特許文献１に示されるような体型測定装置が提案されている。この体型測定装置は、複数本備えてあるロッドの先端を被測定者に押し当て、各ロッドの変位量を測定することによって体型を測定するものであり、ＣＣＤカメラ等の高価な機材を用いて体型を測定するような構造の装置に比べると安価で提供されるものであった。しかしながら、上記した従来の体型測定装置においてはロッドの変位量を測定する手段として、ロッドの変位量を光学的に検出するレーザ距離計や、このレーザ距離計を各ロッドと対応する位置に順に移動させていく駆動機構を備える必要があり、やはり装置全体の低コスト化という面では問題のあるものであった。また、従来の体型測定装置においては各ロッドの最終的な変位量を正確に測定する必要があるために、被測定者は所定の体勢を測定が終了するまで維持することが強いられるものであり、したがって被測定者にとっては測定中に不自由を感じるという問題があった。
【特許文献１】特開２０００−８３９２８号公報
【発明の開示】
【発明が解決しようとする課題】
【０００３】
本発明は上記問題点に鑑みて発明したものであって、複数のロッドの押し当てにより人体の外形状を測定する体型測定装置を、低コストで且つ被測定者に不自由を感じさせることがないものとして提供することを課題とするものである。
【課題を解決するための手段】
【０００４】
上記課題を解決するために本発明に係る体型測定装置を、装置全体を支持する基台部１と、基台部１に立設される支持フレーム４と、支持フレーム４に対して前後方向に移動可能となるように支持フレーム４に支持される可動フレーム５と、前後方向を向く軸方向に沿ってスライド自在となるように可動フレーム５に複数保持されるロッド６と、支持フレーム４に対する可動フレーム５の前後位置又は移動量を検出する可動フレーム位置検出部２０と、各ロッド６が可動フレーム５に対して後方にスライドを開始したこと又は後方に所定量だけスライドしたことを検出するロッド後退検出部２７と、可動フレーム位置検出部２０とロッド後退検出部２７の検出結果を基に各ロッド６が後退を開始した時点又は後方に所定量だけスライドした時点での可動フレーム５の前後位置又は移動量を得ることにより人体の外形状を測定する演算部２８とを備えていることを特徴としたものとする。
【０００５】
上記構成の体型測定装置においては、複数本のロッド６の後退により体型を測定するにあたり、各ロッド６毎に設置する必要のある検出部としては後退開始を検出するだけの安価なＯＮ／ＯＦＦセンサ（スイッチ）により構成されるロッド後退検出部２７で済み、また、可動フレーム位置検出部２０もエンコーダや測距センサ等の安価なセンサで構成されることから、装置全体が低コストで提供されるものである。加えて、体型を測定するにあたって、各ロッド６が後退を開始した時点又は後方に所定量だけスライドした時点での可動フレーム５の前後位置又は移動量が得られていればよいので、被測定者は可動フレーム５が移動を終えるまで所定の体勢を維持しておく必要がなく、測定中の不自由を感じさせることがないものである。
【０００６】
上記ロッド後退検出部２０としては、ロッド６側に固定される被検出ブロック２５と、ロッド６が後退を開始した時点又は後方に所定量だけスライドした時点で被検出ブロック２５を検出するように可動フレーム５側に固定される検出ブロック２６とを備えていることが好ましく、これによれば簡単な構造によりロッド後退検出部２０が構成されるものである。
【０００７】
更に、上記被検出ブロック２５として遮光体２１を備え、上記検出ブロック２６としてフォトセンサ２２を備えていることが好ましい。遮光体２１やフォトセンサ２２は低コストで設置可能であるから、装置全体が更に低コストで提供されるものである。
【０００８】
また、上記の体型測定装置において、ロッド６の人体当接側の先端に、屈曲可能な弾性体３２を備えていることも好ましい。このようにすることで、ロッド６が被測定者４０に当り、ロッド後退検出部２７により該ロッド６の後退が検出された後には、この弾性体３２が被測定者４０の体型にあわせて屈曲して被測定者４０に痛みを与えることを防止することとなる。また、測定後にロッド６が被測定者４０から円滑に離れるようになるものである。
【０００９】
また、各ロッド６の後退に抗する抵抗力をロッド６の後退量が大きくなる程に小さくなるように付与するスライド抵抗部３３を備えていることも好ましい。このようなスライド抵抗部を備えることで、ロッド６の先端が人体に当った当初は抵抗力が大きく働いて誤作動によるスライドを防止するとともに、或る程度ロッド６が後退した後は抵抗力が小さくなって被測定者に不快感を与えることを防止するものである。
【発明の効果】
【００１０】
本発明は、複数のロッドの押し当てにより人体の外形状を測定する体型測定装置を低コストで且つ被測定者に不自由を感じさせることがないものとして提供することができるという効果を奏するものである。
【発明を実施するための最良の形態】
【００１１】
以下、本発明を添付図面に示す実施形態に基いて説明する。図１〜図４には、本発明の実施の形態における一例の体型測定装置を示している。図１に示すように、本例の体型測定装置全体を支持する基台部１は、その前端側を凹設して足入れ部２を形成したものであり、この足入れ部２に両足を入れた被測定者４０が装置全体の前方に立った状態で体型測定が行われるようになっている。基台部１上には演算部２８が内蔵される制御ボックス３が固定されており、この制御ボックス３上には更に支持フレーム４が上方に向けて立設されている。支持フレーム４の側方には、箱型の可動フレーム５が前後方向に移動自在に支持されており、この可動フレーム５内には複数本（本例では３１本）のロッド６が、前後方向を軸方向とした状態で上下方向に一列に配設されている。
【００１２】
可動フレーム５内には、図３や図４に示すような断面Ｌ字状のロッド支持フレーム２９が各ロッド６に対応して上下一列に配設されており、各ロッド６はこのロッド支持フレーム２９上を前後方向に移動することでそれぞれが独立してスライド自在となっている。図中の符号３０はロッド支持フレーム２９に形成されるガイド溝であり、ロッド６側に固定されるガイド片３１がこのガイド溝３０にスライド自在に嵌合することで、各ロッド６がその軸方向に沿って一直線上にスライドするようになっている。但し、各ロッド６はその前端に設けてある当接部７が被測定者４０と当るまでは可動フレーム５と一体に前後方向に移動するものである。
【００１３】
支持フレーム４の側面であって可動フレーム５と面する側と逆側の部分には回転ハンドル８を回転自在に設けており、この回転ハンドル８の回転運動が、支持フレーム４内に配設される動力伝達機構１１を介して可動フレーム５の前後方向の直線運動に変換されるようになっている。また、可動フレーム５の側方であって支持フレーム４が位置する側と逆側の部分には、断面Ｌ字状のロッド位置初期化部１２を前後方向にスライド自在に設けている。このロッド位置初期化部１２は、支持フレーム４の側面に前後方向にスライド自在に支持される平板状の支持部１３と、正面視において各ロッド６と重なるように支持部１３の前端から前後方向と直交する方向に延設される平板状のロッド揃え部１４とから成る断面Ｌ字状の部材である。上記ロッド揃え部１４は、上下一列に配される全てのロッド６と正面視において重なる位置にあるが、このロッド揃え部１４の各ロッド６と重なるそれぞれの部分には、ロッド６の直径よりも大きな直径を有する挿通穴１５を設けており、この挿通穴１５のそれぞれに対応するロッド６をスライド自在に挿通させている。ロッド６の前端に取付けてある当接部７の直径は挿通穴１５の直径よりも大きく形成しているので、支持部１３の側面に突設してある取っ手部１６を掴んでロッド位置初期化部１２を前方にスライドさせ、全てのロッド６の当接部７の後端にロッド揃え部１４の貫通穴１５の周縁部が当る状態に設定することで、全てのロッド６の前後位置を一致させることが可能になっている。
【００１４】
図２中の符号１７は可動フレーム５の下端部に固定されて一体に前後移動するラックであり、このラック１７と噛合うピニオン１８を支持フレーム４側に回転自在に固定するとともに、可動フレーム５の前後位置や前方への移動量と対応して検出されるピニオン１８の回転角を検出するロータリーエンコーダー１９を備えることで、支持フレーム４に対する可動フレーム５の前後位置又は前方への移動量を検出する可動フレーム位置検出部２０を構成している。また、図３、図４に示すように各ロッド６の後端部には被検出ブロック２５として側方に突出する平板状の遮光部２１を固定しており、可動フレーム５内の各ロッド支持フレーム２９のロッド６と対向する箇所には、検出ブロック２６として発光部２３と受光部２４を有するフォトセンサ２２をそれぞれ固定させている。各フォトセンサ２２の固定個所は、対応するロッド６が前後スライド範囲内の所定の検出位置にある場合にのみ遮光部２１が発光部２３と受光部２４の間で光を遮断してこの遮光部２１の存在を検出する位置に設定してある。上記検出位置は、ロッド６がその前後スライド範囲内の前端位置（以下、これを初期位置とする）から僅かな距離だけ後退した位置に設けている。即ち、本例の体型測定装置においては、上記のフォトセンサ２２と遮光部２１により、初期位置にある各ロッド６が可動フレーム５に対して後方にスライドを開始したこと（又は後方に所定量だけスライドしたこと）を検出するロッド後退検出部２７を構成している。
【００１５】
可動フレーム位置検出部２０（即ちロータリーエンコーダ１９）による可動フレーム５の前後位置又は移動量の検出結果と、ロッド後退検出部２７（即ちフォトセンサ２２）によりロッド６が後退を開始したと検出された結果とは、それぞれ制御ボックス３内の演算部２８に送られるとともに、演算部２８にて検出結果を演算処理することによって人体の外形状が測定され、測定結果がモニタ等の表示部１０に出力されるようになっている（図５参照）。これは、可動フレーム５に保持される各ロッド６は可動フレーム５と一体に前方に移動するとともに、先端の当接部７が被測定者４０に当った時点から移動を停止する（即ち、可動フレーム５に対して後退を始める）ことを利用したものであり、ロッド６が可動フレーム５に対して後退を開始した時点（又は後方に所定量だけスライドした時点）での可動フレーム５の前後位置又は移動量を各ロッド６毎に演算することで、人体のうちロッド６が当る側の部分の外形状が測定されるものである。なお、ロッド６の当接部７の根元部分には、ばね等から成る屈曲可能な弾性体３２（図３、図４参照）を介在させているので、当接部７が被測定者４０に当ってロッド６の後退が検出された後はこの弾性体３２が被測定者４０の体型にあわせて屈曲し、これにより被測定者４０が痛みを感じることが防止されるとともに測定後にロッド６を被測定者４０から離す作業も円滑に行われるようになっている。
【００１６】
また、図３に示すように、各ロッド６の後端部の遮光部２１近傍には鉄等の磁性体３４を固定させており、可動フレーム５内面であって磁性体３４の前方に位置する箇所には該磁性体３４と引合う磁石３５を固定させているので、各ロッド６には可動フレーム５に対する後退に抗して働く抵抗力（磁性体３４と磁石３５が引合う力）が付与されるようになっている。この抵抗力は、ロッド６の後退量が大きくなる程に（即ち、磁性体３４と磁石３５との距離が大きくなる程に）小さくなるものであるから、ロッド６の先端が人体に当たる当初は抵抗力が大きく働いて誤作動によるスライド開始を防止するとともに、或る程度ロッド６が後退した後は抵抗力が小さくなって被測定者４０に不快感を与えることを防止するようになっている。なお、本例においては上記のようにロッド６側に磁性体３４を備えるとともに可動フレーム５側に磁石３５を備えることでスライド抵抗部３３を形成しているが、この配置に限定されず、ロッド６側と可動フレーム５側の一方に磁石が固定してあって他方にこの磁石と引合う磁性体が固定してあればよいものである。
【００１７】
本例の体型測定装置を用いて例えば背面のラインを測定しようとする場合には、図１に示すように、基台部１の足入れ部２に両足を入れてロッド６側に背面を向けた状態に被測定者４０を立たせておく。また、体型測定装置の可動フレーム５はその前後方向の移動範囲内の後端位置まで後退させておき、この状態で各ロッド６を可動フレーム５内の初期位置に揃えておく。次に、ハンドル８を回転させて可動フレーム５とロッド６とを一体に前方に移動させると、上下一列に配設した複数本のロッド６のうち被測定者４０の背面に当ったロッド６から順次前方への移動を停止し（即ち、可動フレーム５に対して後退を始め）、このロッド６の可動フレーム５に対する後退開始がフォトセンサ２２を用いたロッド後退検出部２７により順次検出されていくとともに、ロータリーエンコーダ１９を用いた可動フレーム位置検出部２０により可動フレーム５の前後位置又は移動量が同時に検出されていく。そして、可動フレーム位置検出部２０による検出結果と可動フレーム位置検出部２７による検出結果とが演算部２８にて演算処理されることで人体の外形状が測定されることは、上記した通りである。
【００１８】
測定終了時点では、各ロッド６は被測定者４０の背面のラインに沿って突出量を違えた状態にあるので、次回の測定に備えて、ロッド位置初期化部１２を前方にスライドさせて上下一列に配設される複数のロッド６を全て可動フレーム５に対する初期位置に揃えておき、回転ハンドル８を逆回転させることで、ロッド６を初期状態に保持する可動フレーム５を後端位置にまで移動させておく。次回の測定を行う場合には、同様の作業を繰返し行えばよいのだが、ロッド位置初期化部１２によりロッド６を初期位置に揃える作業は可動フレーム５を後端位置に移動させた後で行っても構わない。
【００１９】
なお、本例の体型測定装置はロッド６を上下一列に配設した構造であるが、左右方向等の他の方向にロッド６を並べた構造であってもよいし、ロッド６を複数列配設した構造であってもよい。更に、本例においては基台部１に足入れ部２を凹設した構造としているが、基台部１が足載せ台を兼ねるようにして基台部１上に被測定者が立つようにしてもよい。
【００２０】
また、本例においては可動フレーム５を前後に移動させる駆動手段として回転ハンドル８と動力伝達機構１１を用いた手動方式の手段を用いているが、これがモータ等を用いた電動式の手段であってもよい。加えて、各ロッド６を初期位置に揃えるロッド位置初期化手段においても、本例のような手動式に限らず電動式の手段であってもよい。
【図面の簡単な説明】
【００２１】
【図１】本発明の実施の形態における一例の体型測定装置を示しており (ａ)は概略側面図、（ｂ）は概略平面図である。
【図２】同上の体型測定装置の概略正面断面図である。
【図３】同上の体型測定装置の概略平面断面図である。
【図４】同上の体型測定装置のロッド後退検出部を説明するための概略断面図であり、（ａ）は側方から見た断面、（ｂ）は（ａ）のＸ−Ｘ線断面を示している。
【図５】同上の体型測定装置の概略システム構成図である。
【符号の説明】
【００２２】
１  基台部
４  支持フレーム
５  可動フレーム
６  ロッド
２０  可動フレーム位置検出部
２１  遮光部
２２  フォトセンサ
２５  被検出ブロック
２６  検出ブロック
２７  ロッド後退検出部
２８  演算部
３２  弾性体
３３  スライド抵抗部
４０  被測定者
【図１】
2005278702.tif 000003
【図２】
2005278702.tif 000004
【図３】
2005278702.tif 000005
【図４】
2005278702.tif 000006
【図５】
2005278702.tif 000007